(57)【特許請求の範囲】
【請求項１】
ハウジングと、
前記ハウジングに取り付けられた１つまたはそれ以上の刃と、
前記ハウジングの前記刃の後方のキャップと、
前記ハウジングの前記刃の前方のガード構造とを有し、
前記ガード構造は、前記刃の前方のユーザの皮膚に係合する複数の可撓性皮膚係合突出部と、前記可撓性皮膚係合突出部の後方および前記１つまたはそれ以上の刃の前方にシェービング補助剤を供給するように配置された水溶性シェービング補助合成物とを有するシェービング装置。
【請求項２】
前記１つまたはそれ以上の刃は、前記ガード構造のすぐ後方に第１の刃を有し、前記ガード構造は、前記第１の刃の刃の露出を定めるバックストップ部材を有する請求項１に記載のシェービング装置。
【請求項３】
前記可撓性皮膚係合突出部は、前記刃に平行に延びている可撓性フィンを有する請求項１に記載のシェービング装置。
【請求項４】
前記水溶性シェービング補助合成物は、前記１つまたはそれ以上の刃の長さ延びている皮膚接触面を有する請求項１に記載のシェービング装置。
【請求項５】
前記１つまたはそれ以上の刃は、前記ガード構造のすぐ後ろに第１の刃を有し、前記ガード構造は、前記ハウジングの第１の刃の露出を定めるバックストップ部材を有する請求項４に記載のシェービング装置。
【請求項６】
前記ガード構造は、前記ハウジングに固定される剛性のベースを有し、前記可撓性皮膚係合突出部は、前記剛性ベースに取り付けられた可撓性材料部品に設けられている請求項１に記載のシェービング装置。
【請求項７】
前記水溶性シェービング補助合成物は、前記剛性ベースに取り付けられ、前記１つまたはそれ以上の刃のほぼ全体にわたって延びているとともに前記可撓性皮膚係合突出部分の後ろに配置されている皮膚接触面を有する請求項６に記載のシェービング装置。
【請求項８】
前記１つまたはそれ以上の刃は、前記ガード構造のすぐ後ろに第１の刃を有し、前記ガード構造は、前記前記ハウジングの第１の刃の露出を定めるバックストップ部材を有する請求項７に記載のシェービング装置。
【請求項９】
前記可撓性皮膚係合突出部は、ほぼ前記１つまたはそれ以上の刃の長さにわたって延びる同じ断面を有し、前記剛性ベースと前記可撓性材料部品は、同時に押出し成形される請求項６に記載のシェービング装置。
【請求項１０】
前記可撓性皮膚係合突出部は、前記剛性ベースに成形された可撓性材料部品に設けられている請求項６に記載のシェービング装置。
【請求項１１】
前記可撓性皮膚係合突出部は、前記剛性ベースに接着固定された可撓性材料部品に設けられている請求項６に記載のシェービング装置。
【請求項１２】
前記水溶性シェービング補助合成物は、前記ガード構造内の空洞内に収容され、前記ガード構造は、前記シェービング補助合成物から前記可撓性皮膚係合突出部の後ろの場所まで延びている溝を有する請求項１に記載のシェービング装置。
【請求項１３】
前記可撓性皮膚係合突出部は、前記１つまたはそれ以上の刃にほぼ平行に延びている可撓性フィンを有する請求項１に記載のシェービング装置。
【請求項１４】
前記フィンには、前記刃に対して異なる角度を向いているフィンセグメントが設けられている請求項３に記載のシェービング装置。
【請求項１５】
前記剛性ベースは、熱可塑性材料でつくられており、前記熱可塑性材料は、ポリスチレン、高衝撃ポリスチレン、ポリプロピレン、アクリロニトリル・ブタジエン・スチレン、ポリカーボネート、ノリル、ナイロンを含むグループの部材である請求項８に記載のシェービング装置。
【請求項１６】
前記１つまたはそれ以上の刃はばね偏寄されている請求項１に記載のシェービング装置。
【請求項１７】
前記ハウジングは、ハンドルに関して回転可能に取り付ける構造を有する請求項１に記載のシェービング装置。
【請求項１８】
前記可撓性皮膚係合突出部は、皮膚拡張効果を提供するパターンである請求項３に記載のシェービング装置。
【請求項１９】
前記水溶性シェービング補助剤は、前記ハウジングに直接取り付けられる請求項１に記載のシェービング装置。
【請求項２０】
前記可撓性皮膚係合突出部は、２色の射出成形によって前記ハウジングに直接接続されている請求項１に記載のシェービング装置。
【発明の詳細な説明】
本発明は、改良されたガード構造を備えたシェービング装置に関する。
交換可能なシェービングカートリッジおよび使い捨てカミソリにおいて、１つまたはそれ以上の刃がプラスティック製のハウジング内に固定されている。刃の前方の面はガードとして知られ、刃の背後の面は、キャップとして知られている。
ガードは、刃の前方の皮膚に係合し広げるような構造を備えており、キャップは、皮膚上ですべるように構成されており、いくつかの場合において、水をこしとる潤滑ストリップを備えている。参考としてこの明細書に組み込まれた国際特許出願公開ＷＯ９６／０１１７１には、先行技術の特許として説明された種々の刃の組立体の種々の形態のガード、キャップおよび刃が示されている。例えば、Apprilleらの米国特許５，２４９，３６１は、上方に突出した複数の突出部を備えた上方の皮膚係合部分と、カートリッジハウジングに固定されたかたいプラスティック材料の下方ベース部分とを備えた２つの部分からなる成形ガード構造を示している。
他のガード構造は、Ｃｒｏｏｋらの米国特許第５，１９１，７１２号に示されている。Ｍｉｌｌｅｒらの米国特許第５，０５６，２２２号は、ばね偏寄された金属ハウジング部材を備えたシェービングカートリッジを示しており、この金属ハウジング部材は、刃の前方に配置され、水をこしとることができる材料を含み、この材料は金属ウエブの間に露出され、金属ハウジング部材の異なる場所に皮膚張力付与構造を有する。
本発明は、ハウジングと、ハウジングに取り付けられた１つまたはそれ以上の刃と、ハウジングの刃の後ろのキャップと、ハウジングの刃の前方のガード構造とを有する。ガード構造は、刃の前方でユーザの皮膚に係合する可撓性の皮膚係合突出部と、可撓性皮膚係合突出部の背後の皮膚にシェービング補助剤を配分するように配置された水が濾過可能なシェービング補助合成物とを有する。シェービング補助剤は、ユーザの皮膚に係合するように可撓性皮膚係合突出部の機能と干渉しないように刃の前方に送られることが望ましい。
好ましい実施例において、ガード構造は、第１の刃の刃の露出を定めるバックストップ部材を含む。可撓性皮膚係合突出部は、刃に平行に伸長している可撓性フィンの形をとる。水に溶け出すことができるシェービング補助合成物は、ほぼ刃の長さにわたって干渉されないように伸長している皮膚接触面を有し、このフィンは、皮膚接触面上に伸びている。水に溶け出すことができるシェービング補助合成物は、非水溶性ポリマーと、シェービング補助剤を提供する水溶性ポリマーとを有する。好ましくは、シェービング補助剤は、皮膚潤滑剤であり、他の添加物は、望ましい場合に提供される。
好ましくは、ガード構造は、ハウジングに固定された剛性のベースを含み、可撓性皮膚係合突出部（好ましくはフィン）は、剛性ベースに取り付けられている。また、水に溶け出すことができるシェービング補助剤は、剛性ベースに取り付けることができる。バックストップ部材は、剛性ベースに取り付けることができ、剛性ベースまたはハウジングと同じ部品に形成することができるか、または可撓性材料の部品と同じ材料から、または可撓性材料部品の部品として形成することができる。剛性ベース、可撓性材料部品およびバックストップ部材は、共に成形することができ、共に同時に押し出されるか、または別々に形成され、一緒に結合することができる。水に溶けるシェービング補助合成物は、接着剤または機械的な相互固定によって、可撓性材料合成物すなわちハウジングに固定することができる。また、ガード構造は、３色成形または３色押出しによって製造することができる。
別の例として、水溶性シェービング補助剤は、ガード構造の空洞内に収容され、ガード構造は、シェービング補助剤から可撓性皮膚係合突出部の背後の場所に延びる溝を有する。他の突出部、例えば、前記刃またはナブに関して異なる角度を向いたフィンの部品も使用することができる。
好ましくは、可撓性材料合成物は、ゴム（例えば、天然ゴム、ブチルゴム、ニトリルゴム、スチレンブタジエンゴム）または熱可塑性エラストマー（ＴＰＥ）（例えば、スチレンブタジエンスチレン（ＳＢＳ）ＴＰＥ、スチレン・エチレン・ブタジエン・スチレン（ＳＥＢＳ）ＴＰＥ、ポリエステルＴＰＥ、ポリアミドＴＰＥ、ポリウレタンＴＰＥ、ポリオレフィンベースＴＰＥおよびこれらのＴＰＥのいずれかの混合物）のような弾性材料から形成される。好ましくは、剛性ベースは、熱可塑性材料、例えば、ポリスチレン、高衝撃ポリスチレン、ポリプロピレン、アクリロニトリル・ブタジエンスチレン、ポリカーボネート、ノリルまたはナイロンからつくられる。
好ましくは、刃はばね偏寄されており、カートリッジは、ハンドルに関して回転可能に取り付けられている。
いくつかの好ましい実施例において、水溶性シェービング補助剤は、ハウジング上に直接取り付けられている。ある好ましい実施例において、ハウジングに直接取り付けられているバックストップ部材があり、このバックストップ部材は、ハウジングと一体的であるか、ハウジングと２色（two-color）成形することができる。可撓性皮膚係合突出部は、２色の射出成形によってハウジングに直接接続される。
他の側面において、本発明は、ハウジングと、ハウジングに取り付けられた１つまたはそれ以上の刃と、ハウジングの刃の後ろのキャップと、ハウジングの刃の前方のガード構造とを含むシェービング装置を特徴とする。ガード構造は、第１の水溶性シェービング補助合成物を含み、キャップは、第２の水溶性シェービング補助合成物を含む。第１および第２の水溶性シェービング補助合成物は、第１および第２の摩耗インジケータを有する。第１および第２の摩耗インジケータは、使用の関数として、外観上の異なる変化率を有することが好ましい。
本発明の実施例は、１つまたはそれ以上の次の利点を達成する。シェービング補助剤の追加的な量を皮膚に提供することができる。さらに、本発明の実施例は、切り傷を少なくし、密着感を改良し、潤滑性を改良し、そり心地を改良すると考えられる。またカミソリが濡れた角部分に配置されたとき、ガード構造が角面に張り付く傾向が小さくなる。
本発明の他の利点または特徴は、その好ましい実施例の次の説明および請求の範囲から明らかになる。
図１は、本発明による改良されたガード構造を備えたシェービング装置の斜視図である。
図２は、図１のシェービング装置のガード構造の側断面図である。
図３，４および５は、図１のシェービング装置のガード構造の他の実施例の側断面図である。
図６ないし図８は、ガード構造の他の実施例によるカートリッジの側断面図である。
図１を参照すると、細長いカミソリカートリッジ１が示されている。このタイプの商業的なカミソリ刃カートリッジは、市場においてよく見られるタイプである。カートリッジ１０は、１つまたはそれ以上のばね偏寄されている刃２，３と、下方ベース部材８および２つの端部ユニット５および５′からなる剛性プラスティックハウジング１０とを有する。ベース部材８は、弧状面９を有し、この弧状面９は、ベース８上の他の構造と共に、ハンドル（図示せず）へのシェル軸受の回転可能な接続を提供する。
刃は刃の縁部が顔の輪郭に適合することができるばねまたは他の可動部材上に支持されている。ガード構造４は、第１の刃の前方にあり、キャップ６は第２の刃の後ろにある。キャップ６は、非水溶性ポリマーマトリクス（高衝撃ポリスチレン）と、水溶性シェービング補助剤（ポリエチレンオキシド）とを含むシェービング補助剤であり、このシェービング補助剤は、シェービングのそり心地を向上するように、シェービングの間合成物から溶け出す。
図２を参照すると、ガード構造４が示されており、このガード構造４は、可撓性材料からつくられた合成物２０と、剛性プラスティックからつくられた剛性ベース２２と、剛性ベース２２に取り付けられた水溶性シェービング補助合成物２４と、剛性ベース２２に取り付けられたバックストップ部材２８とを含む。部品２０は、前部に３つの平行な可撓性フィン２６を有し、このフィン２６は、シェーバの皮膚に係合するようにシェービング補助合成物２４の上面上に延びている。バックストップ部材２８は、部品２０と同じ材料でつくられるか、または剛性材料２０と同じ材料で製造することができ、それと一体的に形成される。
水溶性シェービング補助合成物２４は、フィン２６とバックストップ部材２８との間に配置され、接着剤によって剛性ベース２２に固定される。部品２０および２８は、剛性ベース部材２２に射出成形することによって形成される。剛性ベース部材２２は、ガード構造４をハウジングのベース部材８に固定し、例えば、米国特許第５，２４９，３６１号に説明されるような相互固定構造を含む。
図３を参照すると、他のガード構造３０が示されている。それは、剛性ベース３４に取り付けられた可撓性フィン部品３２と、剛性ベース３４の後方に取り付けられた水溶性シェービング補助合成物３６を有する。補助合成物３６は、合成ベース３４に接着剤によって固定され、フィン部品３２は、成形によって剛性ベース３４に固定される。可撓性フィン部品３２は、３つのフィン３８を有し、この３つのフィン３８は、シェービング補助合成物３６の上面より上方に延びている。
図４を参照すると、可撓性部品４２と、剛性ベース４４と、水溶性シェービング補助合成物４６と、バックアップ部材５０とを含むガード構造４０が示されている。可撓性部品４２は、その前端に３つの可撓性フィン４８を有する。バックストップ部材５０は、露出した４つの第１の刃２を形成している。水溶性シェービング合成物４６は、剛性ベース４４の溝５４に固定された拡大底部部分５２を有する。溝５４は、狭い開口部を有し、この開口部は、拡大底部部分５２を機械的係合によって溝５４に固定する。バックストップ部材５０は、部品４２と同じ材料からつくることができ、または剛性ベース４４と同じ材料でつくることができ、それと一体的に形成することができる。
図５を参照すると、ガード構造５０において、水溶性シェービング補助合成物５２は、バックアップ部材５５の空洞５４内に収容され、溝５６は、シェービング補助合成物から可撓性皮膚係合フィン５８より後方位置に延びている。参考として引用する米国特許出願第０８／４９７，１９４号には、使用することができる空洞および溝形状および材料を説明している。またガード構造５０は、剛性ベース部材６０と可撓性材料部品６２を有し、これはフィンを有している。バックストップ部材５５は、部品６２と同じ材料からつくることができ、または剛性ベース６０と同じ材料でつくることができ、それと一体的に形成することができる。
エラストマー突出部（ここでフィン）は、ここに参考例として示す米国特許第５，１９１，７１２号に示されたものを含む異なる寸法および形状を有する。特に、突出部は、例えば、ヘリングボーン形またはチェッカーボード形に関して異なる角度を向いたナブまたはフィンのセグメントの形である。また突出部は、間隔を置いたフィンセグメントの形をとり、この間隔を置いたフィンセグメントは、刃に平行におよび直角に双方に配置された刃または間隔を置いたフィンセグメントに平行な向きの列に配置されている。
剛性ベース２２，３４，４４，６０は、熱可塑性材料、例えば、ポリスチレン、高衝撃ポリスチレン、ポリプロピレン、ポリエチレン、アクリロニトリル・ブタジエンスチレン（ＡＢＳ）、ポリカーボネート、ポリウレタン、ナイロンおよびノリルからつくられることが好ましい。可撓性部品２０，３２，４２は、熱可塑性エラストマー（ＴＰＥ）またはゴムから製造されることが好ましく、熱可塑性エラストマーは、例えば、天然ゴム、ブチルゴム、ニトリルゴム、スチレンブタジエンゴム、スチレン・ブタジエンスチレン（ＳＢＳ），スチレン・エチレン・ブタジエン・エチレン（ＳＥＢ）ＴＰＥ（例えば、Kraton）、ポリエステルＴＰＥ（例えば、Hytrel），ポリアミドＴＰＥ（Pebax），ポリウレタンＴＰＥ，ポリオレフィンベースＴＰＥおよびこれらのＴＰＥの混合物（例えば、ポリエステル／ＳＥＢブレンド）を含む。
シェービング補助剤２４，３６，４６，５２は、マトリクス内に分散された非水溶性ポリマーと、皮膚潤滑水溶性ポリマーのマトリクスとを含む。別の例として、シェービング補助剤は、皮膚潤滑水溶性ポリマーを含むコアを包囲する非水溶性ポリマーのシース（例えば、図５の部品を定義する空洞）を有する。
マトリクス（またはシース）として使用できる適当な非水溶性ポリマーは、ポリエチレン、ポリプロピレン、ポリスチレン、ブタジエンスチレン共重合体（例えば、中間および高衝撃ポリスチレン）、ポリアセタール、アクリルニトリル・ブタジエン・スチレン共重合体、エチレンビニルアセテート共重合体、ポリプロピレン／ポリスチレン混合物のような混合物、最も好ましくは、Mobil４３２４（モービル社）のような高衝撃ポリスチレン（すなわち、ポリスチレンーブタジエン）を含む。
適当な皮膚潤滑水溶性ポリマーは、ポリエチレン・オキシド、ポリビニル・ピロリドン、ポリアクリルアミド、ヒドリキシ・プロピルセルロース、ポリビニル・イミダゾリン、およびポリヒドロキシエチルメタクリレートを含む。最も好ましい水溶性ポリマーは、（ユニオンカーバイド社から市販されている）ＰＯＬＹＯＸまたは（日本の京都のメイセイ化学社から市販されている）ＡＬＫＯＸとして知られているポリエチレンオキシドである。これらのポリエチレン・オキシドは、約１００，０００ないし６百万、もっとも好ましくは３００，０００ないし５百万の分子重量を有する。もっとも好ましいポリエチレンオキシドは、約５百万の平均分子重量を有する約４０ないし８０％のポリエチレンオキシド（例えば、POLYOXCOAGULANT）および約３００，０００の平均分子重量を有する約６０ないし２０％のポリエチレンオキシド（例えば、POLYOX WSR-N-750）を含む。ポリエチレンオキシド混合物は、ＰＥＧ−１００のような低分子重量（すなわち、ＭＷ＜１０，０００）ポリエチレングリコールの重量の約１０％まで含むことが有利である。
また、シェービング補助剤は、シクロデキストリン、（例えば、１−１０％の重量の）ポリエチレングリコールのような低分子重量の水溶性リリース改良剤、（例えば２−７％の重量の）クロスリンクポリアクリルのような水膨張可能なリリース改良剤、冷却剤、参加防止剤、保存剤、微生物殺菌剤、ひげ柔軟剤、アストリンゼン、脱毛剤、医薬品、コンディショニング剤、冷却剤等の含有複合剤を含む。
特に好ましい実施例は、クレイトンＧ貿易の名称またはＣフレックス貿易の名称の下で市販されているＳＥＢＳをベースとしたＴＰＥのポリプロピレン、可撓性部品の剛性のベースと、約３５％の高衝撃ポリスチレンと、約５５％のポリエチレンオキシドと、約１０％のポリエチレングリコールのシェービング補助剤とを有する。
ガード構造は、二色の射出成形によって製造することができる。まず、ポリプロピレン剛性ベースが約２００−２３０℃の成形温度で成形され、次に約２００−２３０℃の成形温度でＳＥＢＳベースＴＰＥフィン部品がポリプロピレン剛性ベース上で成形される。シェービング補助剤が通常の処理条件でＨａａｋｅＨＢＩ装置９０を使用してポリエチレンオキシド（ＰＥＯ）を押し出すことによってつくられる。
別の例として、３つの部品（または３つの部品の内２つの部品）をコエクストルージョンによって、または別々につくることができるか、次に接着剤といっしょに接着することができる。
使用において、可撓性フィン２６．３８，４８，５８は、まずユーザの皮膚に係合し、皮膚を広げ、シェービングするひげを引く傾向がある。可撓性フィンは、皮膚に入り込み、毛穴から毛を外側に引き出し、ひげを繰り返しつかんで把持し、解放し、接触によって下端で毛を保持する。可撓性フィンはスクイージとして作用し、顔の余分の液体を除去し、望ましい感触を提供する。
シェービング補助合成物２４，３６，４６，５２は、刃によって切断する前に、広がった皮膚に潤滑剤を提供する。シェービング補助剤２４，３６，４６は、繰り返し使用することによって形状が変化し摩耗する。図２，４及び５に説明する実施例によって、バックストップ部材２８，５０は、繰り返し使用することによって生じるシェービング補助合成物２４または４６の形状の変化には無関係に第１の刃の露出を定めるために永久的な表面を提供する。
前述したような改良されたガード構造を備えたシェービング装置は、切り傷を低減し、密着感と潤滑性を改良し、そり心地を改良する。また、カミソリを濡れた角部分に配置したとき、角面にガード構造がはりつく傾向を小さくする。特別な充填流れ材料によって、使用すべき充填流れ材料を追加することを可能にする。
本発明の特徴および利点は、つぎのガード構造の例によって示されるが、特別の材料およびその量並びに他の条件及びその詳細は、本発明を制限すべきではない。
例
ガード構造は、ポリプロピレンの剛性支持体（Ａｍｏｃｏプロピレン７６３５）、可撓性フィン、バックストップＳＥＢＳ（ＧＬＳ）Ｅｌｌａｓｔｌｌｏｙ６５４５、次のＰＥＯ混合物からなるシェービング補助剤から製造される。
ポリエチレン・オキシド
（ユニオン・カーバイド・PolyoxN750）    ２２％
ポリエチレン・オキシド                  ３３％
（ユニオン・カーバイド・Polyox・コアグラント）
高衝撃ポリスチレン                       ３３％
（モビルＨＩＰＳ４３２４）
ポリチレングリコール                     １０％（ダウ  ＰＥＧ４５００）
他の添加物                                 ２％
剛性支持体と、可撓性フィンと、可撓性バックストップをつくるために二色の射出成型機械が使用される。ポリプロピレン部分がまず成形され、フィンおよび可撓性バックストップがポリプロピレン支持体に成形される。ポリプロピレンの成形温度は、約２００ないし２３０℃であり、ＳＥＢＳの成形温度は、約２００ないし２２０℃である。ＰＥＯ混合物は、約１８０ないし２００℃でＨａａｋｅＨＢＩシステム９０を使用した必要な輪郭に押し出される。押し出されたＰＥＯ混合物は所定の長さに切断され、シェービング補助剤部分は、成形部品にのりづけされる。
本発明の他の実施例は請求の範囲内にある。
例えば、図６を参照すると、カミソリカートリッジ１００は、ハウジング１０２を有し、その上にガード構造１０４と、第１および第２のばね偏寄刃１０６，１０８およびキャップ潤滑ストリップ１１０が取り付けられている。ガード構造は、剛性ベース１１２を含み、このベース１１２は、ハウジング１０２に固定され、ベース１１２に取り付けられている可撓性皮膚係合突出部分１１４を有する。水溶性シェービング補助剤１１６およびバックストップ部材１１８は、ベース１１２に取り付けられている。バックストップ部材１１８は、カートリッジの第１の刃１０６における刃の露出を定める。
図７および図８を参照すると、カミソリカートリッジ１２０およびカートリッジ１２２はハウジング１２４を含み、このハウジング１２４に、各ガード構造１２６，１２７、第１および第２のばね偏寄刃１０６，１０８と、キャップ潤滑ストリップ１１０とを有する。各ガード構造１２６，１２７は、ハウジング１２４の前方支持部分１２８と、ベース１３１に取り付けられたフィン部材１３０とを有する。フィン部材１３０は、ベース１３１とともに同時に押出し成形される。別の例として、ベース１３１は、ハウジング１２４の一部の部品１２８として一体的に形成される。フィン部材１３０は、ハウジング１２４に二色成形される。また各ガード構造１２６，１２７は、ハウジング部分１２８に取り付けられた水溶性シェービング補助合成物１３２を含む。またガード構造１２６（図７参照）は、ハウジング部分１２８に取り付けられるとともにカートリッジの第１の刃１０６の刃の露出を定めるバックストップ部材１３４を含む。別の例として、バックストップ部材１３４は、部分１２８の一部としてつくることができ、この場合、それは剛性であるか、またはフィン部材１３０と同じ材料でつくることができ、この場合、バックストップ部材１３４およびフィン部材１３０は、双方を二色成形することができる。
前述した例において、刃の前方の水溶性シェービング補助剤および刃の背後の水溶性シェービング補助剤は第１および第２のカラー使用指示器を有し、この指示器は、使用するにつれて外観を変化させ、第１および第２の使用指示器は、使用の関数として外観の変化が異なる割合を有する。ここに参考として示す米国特許第３，８７９，８４４号及び５，３４０，５８１号および国際特許出願公開ＷＯ９６０４１１２及びＷＯ９６０１１７２は、このような使用指示器を説明している。これは、カートリッジを交換すべき時期を評価する際にユーザが考慮する時間のウインドウまたは範囲を定めるために使用するのに有利である。
【図１】
0004046763.tif 000002
【図２】
0004046763.tif 000003
【図３】
0004046763.tif 000004
【図４】
0004046763.tif 000005
【図５】
0004046763.tif 000006
【図６】
0004046763.tif 000007
【図７】
0004046763.tif 000008
【図８】
0004046763.tif 000009